(57)【要約】【課題】百ノズル以上の液体噴射記録ヘッドをコンパクトな構造で実現すること、及び圧電素子の駆動電圧を上げ、駆動電圧波形の立ち上がり時間を短縮すること。【解決手段】ヘッド基板上の上電極と駆動回路の出力端子を向かい合わせに接続する構成にした。また、前記駆動回路のアナログスイッチをＰチャネル型薄膜トランジスタとし、圧電素子駆動開始のタイミングを前記アナログスイッチの導通開始のタイミングより遅らせる構成とした。【選択図】図２
2006272974.tif 000002
【特許請求の範囲】
【請求項１】
ノズルと、
前記ノズルに連通する液室と、
前記液室を構成する一の面に張られた振動板と、
圧電膜の上下を電極で挟んで成る、前記振動板に接した圧電素子と、を有し、
前記圧電素子を駆動回路により駆動することにより前記圧電素子及び前記振動板を変形させ、前記液室の体積を変化させることにより、前記液室に満たされた液体を前記ノズルより外部に噴射させる液体噴射記録ヘッドにおいて、
前記ノズル、液室、及び圧電素子は複数個配列され、
前記複数の液室は隔壁により分離され、
前記圧電素子の電極の接続端子は前記液体噴射記録ヘッドの平面視において前記隔壁に重なるように設けられ、
前記駆動回路の出力端子は前記圧電素子の電極の接続端子と向かい合わせに接続されることを特徴とする液体噴射記録ヘッド。
【請求項２】
前記圧電素子の上電極の接続端子は前記液室が配列された方向に対して左右２列に配置され、隣接した前記上電極の接続端子はそれぞれ前記２列のうちの異なる列に配置されたことを特徴とする請求項１に記載の液体噴射記録ヘッド。
【請求項３】
前記圧電素子の上電極は千鳥状に配置され、
該上電極の前記出力端子は隣接した前記上電極のパターン端の外側に配置されたことを特徴とする請求項２に記載の液体噴射記録ヘッド。
【発明の詳細な説明】
【技術分野】
【０００１】
本発明は、液体噴射記録装置に用いられる液体噴射記録ヘッドに関する。
【０００２】
液体噴射記録装置は、ノズル、該ノズルに接した液室を有する液体噴射記録ヘッド、並びに液体供給系を具備し、液室内に充満している液体にエネルギーを与えることにより、該液体がノズルから噴射され、これにより文字や画像情報の記録が行われるものである。液体にエネルギーを与える手段としては、圧電素子を用いて液室内液体を加圧する手段、またはヒータを用いて液室内液体を加熱する手段が一般的である。本発明は、この内、圧電素子を用いて液室内液体を加圧する手段を持つ、液体噴射記録ヘッドに関する。
【０００３】
圧電素子を用いた液体噴射記録ヘッドを用いた液体噴射記録装置においては、前記圧電素子を駆動するための電圧パルス波形を発生させる駆動回路が具備される。本発明は、この駆動回路及び駆動方法に関する。
【背景技術】
【０００４】
本発明に関わる構成要素の従来技術としては、特開平５−８２２１４０がある。同従来例記載の特許においては、単結晶珪素基板に液室、液体流路、液体貯蔵室が形成され、液室上に振動板及び圧電膜を用いた圧電素子が形成された液体噴射記録ヘッド及びその製造方法が開示されている。
【０００５】
【特許文献１】特開平５−８２２１４０号公報
【発明の開示】
【発明が解決しようとする課題】
【０００６】
しかしながら、上記従来例における液体噴射記録ヘッドにおいては、以下に述べるような課題がある。同従来例においては、平面的に配置された液室と液体貯蔵室が液体流路を介して接続されている構成になっている。従って、同従来例における液体噴射記録ヘッドは平面的に大きなものとなっている。また、同従来例においては、圧電素子へ駆動信号を入力する部分の構成が明示されていないが、通常は液体噴射記録ヘッド端部に設けられた電極取り出し用の接続端子に配線パターンがついた実装テープが接続され、前記実装テープにＭＯＳトランジスタによる駆動回路が形成された半導体集積回路が接続される構成となっている。従って、従来の液体噴射記録ヘッドは、平面的のみならず、立体的にも大きなスペースを要するものであった。また、半導体集積回路による駆動回路を用いているため、ノズル数が増加した場合、特に百ノズル以上のライン液体噴射記録ヘッドを形成した場合、極端に大きなスペースを要するとともに、駆動回路が非常に高価なものとなっていた。前記駆動回路を低価格化するため、ＴＦＴ、特にｐｏｌｙ−Ｓｉ  ＴＦＴにより駆動回路を構成することが考えられたが、ＴＦＴ信頼性の面からあまり駆動電圧を上げることが出来ず、また、ＴＦＴはＭＯＳトランジスタに比べＯＮ抵抗が大きいため、圧電素子を駆動するための電圧波形の立ち上がり時間が長くかかり、液体噴射記録ヘッドにおける液体噴射特性の劣化を招いていた。
【０００７】
本発明は上記従来技術の問題点に鑑みてなされたものであり、以下の点を目的とするものである。
【０００８】
（１）百ノズル以上のライン液体噴射記録ヘッドを平面的、立体的にコンパクトな構造で実現すること。
【０００９】
（２）上記コンパクトな構造の液体噴射記録ヘッドを、効率的な方法で製造すること。
【００１０】
（３）圧電素子の駆動電圧を上げることが出来、また、駆動電圧波形の立ち上がり時間を短縮することの出来る、液体噴射ヘッドの駆動回路、駆動方法を提供すること。
【課題を解決するための手段】
【００１１】
以上の課題を解決するため、本発明の液体噴射記録ヘッドは、ノズルと、前記ノズルに連通する液室と、前記液室を構成する一の面に張られた振動板と、圧電膜の上下を電極で挟んで成る、前記振動板に接した圧電素子と、を有し、前記圧電素子を駆動回路により駆動することにより前記圧電素子及び前記振動板を変形させ、前記液室の体積を変化させることにより、前記液室に満たされた液体を前記ノズルより外部に噴射させる液体噴射記録ヘッドにおいて、前記ノズル、液室、及び圧電素子は複数個配列され、前記複数の液室は隔壁により分離され、前記圧電素子の電極の接続端子は前記液体噴射記録ヘッドの平面視において前記隔壁に重なるように設けられ、前記駆動回路の出力端子は前記圧電素子の電極の接続端子と向かい合わせに接続されることを特徴とする。
【００１２】
また、本発明の液体噴射記録ヘッドは、前記圧電素子の上電極の接続端子は前記液室が配列された方向に対して左右２列に配置され、隣接した前記上電極の接続端子はそれぞれ前記２列のうちの異なる列に配置されたことを特徴とする。
【００１３】
また、本発明の液体噴射記録ヘッドは、前記圧電素子の上電極は千鳥状に配置され、該上電極の前記出力端子は隣接した前記上電極のパターン端の外側に配置されたことを特徴とする。
【発明を実施するための最良の形態】
【００１４】
以下、本発明の実施例について図面を参照しながら説明する。
【実施例１】
【００１５】
図１は本発明の実施例における液体噴射記録ヘッドの斜視図、図２はその断面図、図３は本発明の実施例における液体噴射記録ヘッドにおける、ノズル、液室、振動板、液体供給孔及び圧電素子が形成されて成るヘッド基板の斜視図、図４は本発明の実施例における液体噴射記録記録ヘッドにおける、駆動回路を構成する絶縁基板上のＴＦＴの断面図を示す。
【００１６】
図１を基に、本実施例の液体噴射記録ヘッドの構成を説明する。１０１はノズル、１０２はノズルプレート、１０３は液室、１０４は液室下に張られた振動板、１０５は振動板を貫通する液体供給孔、１０６は液室の隔壁であり、前記１０１乃至１０６の構成要素によりヘッド基板が構成されている。圧電素子は図示されていないが、振動板１０４のさらに下側に配置されている。１０７はＴＦＴを用いた駆動回路が形成された絶縁基板であり、ＴＦＴは図示されていないが、絶縁基板１０７の上側に配置されている。１０８は実装基板であり、絶縁基板１０７のＴＦＴのない面に設けられている。１０９は前記ヘッド基板及び絶縁基板１０７の端面及び実装基板１０８により囲まれた空間を封止するための封止用構造体であり、これらによって封止された空間が液体貯蔵室１１０となっている。
【００１７】
図２を基に、本実施例の液体噴射記録ヘッドの詳細な構成、製造方法、及び液体噴射の動作を説明する。ヘッド基板は、ノズル１０１、ノズルプレート１０２、液室１０３、振動板１０４、液体供給孔１０５、液室の隔壁１０６、及び下電極１１１、圧電膜１１２、上電極１１３、保護膜１１４により構成される。下電極１１１、圧電膜１１２、及び上電極１１３により圧電素子が構成され、該圧電素子の上下電極間に電圧が印加されると、圧電膜１１２が変形し、この結果圧電素子は振動板１０４や保護膜１１４ごと変形する。保護膜１１４には開口部が形成され、この開口部に形成された接続電極１１５を介してヘッド基板の上電極１１３とＴＦＴを用いた駆動回路が形成された絶縁基板１０７上の駆動回路の出力端子（図示せず）が向かい合わせに接続されている。この電極接続部には保護層１１６が形成されている。絶縁基板１０７のＴＦＴのない面には実装基板１０８が設けられ、これらにより囲まれた空間を封止用構造体１０９により封止し、液体貯蔵室１１０が形成される。この、液体噴射記録ヘッドの製造方法は、ノズル１０１、ノズルプレート１０２、液室１０３、振動板１０４、液体供給孔１０５、液室の隔壁１０６、下電極１１１、圧電膜１１２、上電極１１３、保護膜１１４より成るヘッド基板の保護膜１１４の開口部に、例えば金により接続電極１１５としてバンプを形成し、図示されていない、ＴＦＴを用いた駆動回路が形成された絶縁基板１０７上の駆動回路の出力端子上に、例えばハンダをのせておき、これらを向かい合わせにして位置を合わせ、熱をかけて接合、接続する。この接続工程後、接続部に保護層１１６を、例えば絶縁性のエポキシ材で形成し、接続部を電気的、機械的に保護する。そして絶縁基板１０７におけるＴＦＴのない面に、例えばガラスで形成した実装基板１０８を接着して設け、さらに封止用構造体１０９を、例えば水和ガラスを乾燥させることにより設けて、本実施例の液体噴射記録ヘッドが完成する。バンプ形成は、絶縁基板１０７上の駆動回路の出力端子上に行っても良く、また、これとヘッド基板電極との接続は異方性導電膜などの材料を用いて接続して良い。さらにこの接続部の保護層１０６に、水和ガラス等の材料を用いて良い。この液体噴射記録ヘッドの動作は、以下の通りとなる。まず、液室１０３及び液体貯蔵室１１０に液体を満たしておく。絶縁基板１０７上のＴＦＴによる駆動回路からの正電源信号が圧電素子の上電極１１３に印加される。この時、圧電素子の下電極１１１には、圧電素子駆動用信号が入力され、圧電素子の上下電極間に電圧が印加される。この時圧電膜１１２が変形し、この結果圧電素子は振動板１０４や保護膜１１４ごと、図中上側に変形する。従って、液室１０３に満たされている液体は、ノズル１０１を通って外部に噴射される。その後圧電素子の上下電極間に印加されている電圧を元の状態に戻すと、圧電素子、振動板１０４、保護膜１１４は元の状態に戻り、液体貯蔵室１１０に満たされている液体は毛細管現象により液体供給孔１０５を介して液室１０３に供給され、液室１０３中を満たす。この時、同時に外部から液体貯蔵室１１０内を満たすように液体が供給される。以上の動作を繰り返すことにより、液体噴射記録ヘッドより液体が断続的に噴射される。
【００１８】
図３において、本実施例における液体噴射記録ヘッドにおけるヘッド基板の構成をさらに説明する。同図において、図１及び図２と同一の記号はそれぞれ同一のものを表わす。１１７は保護膜１１４の開口部であり、圧電素子の上電極１１３から、従ってこのヘッド基板からの接続端子となる。図示していないが、実際には保護膜１１４の開口部は圧電素子の下電極１１１上にも形成され、下電極１１１には圧電素子駆動用信号が供給される。
【００１９】
図４において、本実施例における液体噴射記録ヘッドにおけるＴＦＴを用いた駆動回路の断面構成を説明する。絶縁基板１０７上にＴＦＴのソース・ドレイン部１１８及びチャネル部１１９が、例えばｐｏｌｙ−Ｓｉ薄膜により形成される。ソース・ドレイン部にはリンまたはホウ素等の不純物が拡散されている。チャネル部１１９上にゲート絶縁膜１２０が例えば２酸化珪素膜により形成され、さらにゲート電極１２１が例えばタンタルにより形成される。その上に層間絶縁膜１２２が例えば２酸化珪素により形成され、金属配線層１２３が例えばアルミニウムにより形成される。最後に保護層１２４を例えば２酸化珪素により形成し、保護層１２４に開口部を形成することにより、駆動回路の出力端子１２５を形成し、ＴＦＴによる駆動回路が完成する。この駆動回路の出力端子１２５の配列ピッチを、前記圧電素子の配列ピッチと同一のものとすることにより、本実施例の液体噴射記録ヘッドを構成することが可能となる。
【００２０】
以上の実施例において、ヘッド基板上の上電極１１３と絶縁基板１０７上のＴＦＴを用いた駆動回路の出力端子１２５を向かい合わせに接続し、絶縁基板１０７におけるＴＦＴのない面に実装基板１０８を設け、前記ヘッド基板及び絶縁基板１０７の端面及び実装基板１０８により囲まれた空間を封止し、液体貯蔵室１１０を形成すること、また、前記ヘッド基板上の圧電素子の配列ピッチと駆動回路の出力端子１２５の配列ピッチを同一とすることにより、百ノズル以上のライン液体噴射記録ヘッドにおいても、平面的、立体的にコンパクトな構造で実現することが可能となった。また、上電極１１３と駆動回路の出力端子１２５の接続部に保護層１１６を設けることにより、接続部の機械的な保護、電気的な絶縁を行うことが可能となり、導電性の液体も噴射させることが可能となった。また、ヘッド基板上の上電極１１３と絶縁基板１０７上のＴＦＴを用いた駆動回路の出力端子１２５を向かい合わせに接続した後、この接続部に保護層１１６を形成し、その後絶縁基板１０７のＴＦＴのない面に実装基板を設けることにより、保護層１１６の形成が容易となり、また、同保護層の塗布むら等の検査及び修復が容易となり、液体噴射記録ヘッドの製造方法が効率的となった。
【実施例２】
【００２１】
図５は、本発明の実施例における液体噴射記録ヘッドにおけるヘッド基板において、上電極の接続端子をその配列ピッチが圧電素子の配列ピッチと同一で、かつ前記接続端子のピッチ方向の長さを液室上の上電極のピッチ方向長さより長くしたヘッド基板の斜視図である。同図において図３と同一の記号は図３と同一のものを表わす。
【００２２】
接続端子部における圧電膜１１２、上電極１１３、接続端子１１７の配列ピッチ方向の長さが、液室１０３上の上電極１１３のそれよりも長くなっている。このような構成とすることにより、接続端子１１７の面積を大きくとることができるようになり、実施例１中で示したようなＴＦＴと用いた駆動回路の出力端子１２５を向かい合わせに接続した場合の接続端子部において、さらに機械的な強度の増大、電気的抵抗の低減、製造上不良の低減を図ることが出来た。
【００２３】
本実施例の構成は、特に液体噴射記録ヘッドのノズルを高密度化したときに有効である。例えばノズル密度３６０ｄｐｉ（約７０．５μｍピッチ）の場合は液室１０３上の上電極１１３の配列ピッチ方向長さが３０μｍ程度となり、この電極幅ではＴＦＴによる駆動回路の出力端子と向かい合わせに接続することが困難であるが、本実施例の構成をとることにより、ヘッド基板の接続端子１１７の配列ピッチ方向長さを５０μｍ程度とすることが可能となり、ＴＦＴによる駆動回路の出力端子と向かい合わせに接続することが可能となる。
【実施例３】
【００２４】
図６は本発明の実施例における、ヘッド基板の両側端にＴＦＴを用いた駆動回路を設けた液体噴射記録ヘッドの斜視図、図７は該液体噴射記録ヘッドにおける、ノズル、液室、振動板、液体供給孔及び圧電素子が形成されて成るヘッド基板の平面図である。図６及び図７において図１及び図３と同一の記号はそれぞれ図１及び図３と同一のものを表わす。
【００２５】
図６を基に、本実施例の液体噴射記録ヘッドの構成を説明する。ノズル１０１、ノズルプレート１０２、液室１０３、振動板１０４、液体供給孔１０５、液室の隔壁１０６、さらに同図中振動板１０４下に形成された圧電素子（図示せず）により構成されるヘッド基板における、圧電素子の上電極における接続端子（図示せず）がヘッド基板の両側端に配置され（詳細は後述）、ＴＦＴによる駆動回路が設けられた絶縁基板１０７がヘッド基板の両側に配置され、ヘッド基板の両側端に設けられた圧電素子の上電極における接続端子と絶縁基板１０７上のＴＦＴによる駆動回路の出力端子（図示せず）が向かい合わせに接続される。２個の絶縁基板１０７のＴＦＴがない面には１個の実装基板１０８が設けられ、ヘッド基板、２個の絶縁基板１０７の端面、実装基板１０８で囲まれた空間が液体貯蔵室１１０となっている。
【００２６】
図７を基に、本実施例の液体噴射記録ヘッドにおける、ヘッド基板の平面構成を説明する。液室１０３は一列に配列され、圧電素子の上電極１１３は液室１０３と隔壁１０６をまたぐように千鳥状に配列されている。上電極１１３の接続端子１１７は、隣接した上電極のパターン端及び液室のパターン端の外側に配置され、また、振動板（図示せず）を貫通する液体供給孔１０５は、上電極パターン端の外側で液室パターン端の内側、かつ隣接した上電極の接続端子の内側に配置されている。
【００２７】
以上説明した本実施例の液体噴射記録ヘッドは、ヘッド基板における接続端子１１７の配列ピッチを液室１０３の配列ピッチの倍にすることが出来るため、より高密度にノズル形成する液体噴射記録ヘッドにおいても、ヘッド基板とＴＦＴによる駆動回路との接続を可能にする。
【実施例４】
【００２８】
図８は本発明の実施例における、ノズル、液室、振動板、圧電素子を２列配列した液体噴射記録ヘッドの斜視図、図９は該液体噴射記録ヘッドにおける、ノズル、液室、振動板、液体供給孔及び圧電素子が形成されて成るヘッド基板の平面図である。図８及び図９において図１及び図３と同一の記号はそれぞれ図１及び図３と同一のものを表わす。
【００２９】
図８を基に、本実施例の液体噴射記録ヘッドの構成を説明する。ノズル１０１、ノズルプレート１０２、液室１０３、振動板１０４、液体供給孔１０５、液室の隔壁１０６、さらに同図中振動板１０４下に形成された圧電素子（図示せず）により構成されるヘッド基板において、ノズル１０１、液室１０３、振動板１０４、液体供給孔１０５、圧電素子（図示せず）が２列配列されている。圧電素子の上電極における接続端子（図示せず）がヘッド基板の両側端に配置され（詳細は後述）、ＴＦＴによる駆動回路が設けられた絶縁基板１０７がヘッド基板の両側に配置され、ヘッド基板の両側端に設けられた圧電素子の上電極における接続端子と絶縁基板１０７上のＴＦＴによる駆動回路の出力端子（図示せず）が向かい合わせに接続される。２個の絶縁基板１０７のＴＦＴがない面には１個の実装基板１０８が設けられ、ヘッド基板、２個の絶縁基板１０７の端面、実装基板１０８で囲まれた空間が封止用構造体１０９で各列毎にしきられ、液体貯蔵室１１０となっている。
【００３０】
図９を基に、本実施例の液体噴射記録ヘッドにおける、ヘッド基板の平面構成を説明する。液室１０３は２列に配列され、圧電素子の上電極１１３は液室１０３と隔壁１０６をまたぐように２列に配列されている。上電極１１３の接続端子１１７は、ヘッド基板（隔壁１０６の外形に同じ）の両側端に配置され、また、振動板（図示せず）を貫通する液体供給孔１０５は、上電極パターン端の外側で液室パターン端の内側に配置されている。
【００３１】
以上説明した本実施例の液体噴射記録ヘッドは、２列同時の液体噴射記録を可能にするため、液体噴射記録の高速化、カラー化を容易にし、またさらに２列のノズル等を千鳥状に配列することにより、液体噴射記録の高密度化も可能にする。
【実施例５】
【００３２】
図１０は本発明の実施例における、液体噴射記録ヘッドの駆動回路図である。５０１は走査回路であり、ＴＦＴにより構成される。この走査回路はシフトレジスタで構成すればよいが、その出力段にバッファーインバーター等が設けられていても良い。５０２及び５０３は、走査回路５０１の出力信号線であり、それぞれＰチャネル型ＴＦＴによるアナログスイッチ５０４及び５０５のゲートに接続される。５０６及び５０７はそれぞれアナログスイッチ５０４及び５０５の出力端子であり、前記実施例における絶縁基板上に形成したＴＦＴによる駆動回路の出力端子に相当する。アナログスイッチの出力端子５０６及び５０７はそれぞれ圧電素子５１０及び５１１の上電極の接続端子５０８及び５０９に接続される。圧電素子５１０及び５１１のもう一方の電極（下電極）は、圧電素子駆動信号入力端子５１２に接続される。また、アナログスイッチ５０４及び５０５のもう一つの端子は、正電源入力端子５１３に接続される。
【００３３】
図１１は本発明の実施例における、液体噴射記録ヘッドの駆動信号のタイミング図である。６０１及び６０２はそれぞれ走査回路５０１の出力信号線５０２及び５０３に印加される電圧波形である。６０３は、圧電素子駆動信号入力端子５１２に印加される圧電素子駆動信号の電圧波形の一例であり、６０４は、圧電素子駆動信号入力端子５１２に印加される圧電素子駆動信号の別の電圧波形の例である。同図を基に、本実施例の液体噴射記録ヘッドの駆動回路の動作を説明する。
【００３４】
時刻ｔ１に走査回路５０１の出力信号線５０２の電圧波形６０１が“ハイ”の状態から立ち下がり始め、時刻ｔ２に“ロー”の状態となる。この時Ｐチャネル型ＴＦＴによるアナログスイッチは完全に導通の状態となり、圧電素子５１０の上電極には正電位（前記“ハイ”の電位と同電位）が印加される。その後、時刻ｔ３には圧電素子駆動信号６０３の電位が負電位となり、圧電素子５１０の下電極に負電位が印加され、圧電素子５１０の上下電極間に電圧が印加され、圧電素子５１０は駆動される。この時、圧電素子５１１においては、下電極は負電位となるものの、アナログスイッチ５０５のゲート電位は“ハイ”であるため、該アナログスイッチは非導通の状態であるため、圧電素子５１１の上電極の電位も負電位となり、駆動されない。時刻ｔ４には圧電素子５１０の下電極の電位が正電位に戻り、該圧電素子の駆動が終了する。その後時刻ｔ５にはアナログスイッチ５０４のゲート電位が立ち上がり始め、同時にアナログスイッチ５０５のゲート電位が立ち下がり始める。時刻ｔ６にはアナログスイッチ５０４のゲート電位は“ハイ”の状態となり、該アナログスイッチは非導通の状態となる。同時にアナログスイッチ５０５のゲート電位が“ロー”の状態となり、該アナログスイッチは導通の状態となる。そして同様の動作により、圧電素子５１１が駆動される。
【００３５】
以上の液体噴射記録ヘッドの駆動方法は、圧電素子の駆動を開始するタイミングを、アナログスイッチが導通を開始するタイミングより遅らせ、アナログスイッチが完全に導通した後としている。このような駆動方法をとることにより、アナログスイッチが導通を開始するタイミングで圧電素子の駆動を開始する場合に比べ、圧電素子の上下電極間に印加される実質的な電圧波形の立ち上がり時間を短縮することが出来、これにより、前記振動板の変形速度、加速度を増加させ、液体噴射特性を向上させることができる。従って、オン抵抗の大きなＴＦＴを駆動回路に用いても、液体噴射特性の良い液体噴射記録ヘッドを実現することが可能となった。
【００３６】
６０４に示されるような電圧波形を用いて圧電素子を駆動しても良い。この場合は、圧電素子５１１のみを駆動する場合であるが、アナログスイッチ５０５が導通を開始する前の時刻ｔ７に圧電素子の下電極に小さな負電圧を印加しておく。時刻ｔ６にアナログスイッチ５０５は完全に導通し、圧電素子５１１の上電極は正電位となり、上下電極間には小さな電圧が印加される。その後時刻ｔ８には圧電素子５１１の下電極は正電位となり、上下電極間は電位差なしの状態となる。その後時刻ｔ９に圧電素子５１１の下電極は負電位となり、上下電極間には大きな電圧が印加され、該圧電素子は駆動される。このような駆動方法をとることにより、圧電素子は駆動される前に印加される小さな電圧により、分極処理をされることになる。駆動される前に常に一定の電圧で分極処理されるため、圧電素子はその圧電歪み定数等の特性の劣化を低減されることになり、信頼性の良い液体噴射記録ヘッドが実現されるようになった。
【００３７】
本実施例において、アナログスイッチはＰチャネル型ＴＦＴを用いているが、これは、本発明者が鋭意研究の結果、大きな付加容量を駆動する場合は、Ｎチャネル型ＴＦＴよりＰチャネル型ＴＦＴの方が、信頼性がすぐれていることを見出したためである。具体的には後述する。また、さらに本発明者は、Ｐチャネル型ｐｏｌｙ−Ｓｉ  ＴＦＴによるアナログスイッチと圧電素子を接続し、実際に６０３に示す圧電素子駆動信号波形を用いて駆動実験を行い、駆動信号電圧振幅が２０Ｖの時、ＴＦＴのチャネル長をＬ、チャネル幅をＷ、圧電素子の容量をＣとしたとき、Ｃ／（Ｌ・Ｗ）≧３．３×１０-2（Ｆ／ｍ2）の関係を満たしたときに、１ノズルにつき室温で１０億回液体噴射を繰り返しても、液体噴射速度の低下分は初期状態の速度に対して１割以下となることを見出した。この、液体噴射速度の低下は圧電素子の特性の低下と、ＴＦＴのオン抵抗の増大に起因するものであるが、この内のＴＦＴのオン抵抗の増大は、圧電素子の容量Ｃが大きくなるほど大きくなり、ＴＦＴのチャネル長Ｌやチャネル幅Ｗが大きくなるほど小あさくなる。これは、ＴＦＴのチャネル部を流れる電流密度が大きいほど、また容量の充電にかかる時間が長いほどＴＦＴのオン抵抗が増大することを示している。また、図１１に示す液体噴射記録ヘッドの駆動信号の位相を反転させてＮチャネル型ｐｏｌｙ−Ｓｉ  ＴＦＴによるアナログスイッチを用いて同様の駆動実験を行ったところ、駆動信号の電圧振幅は同様に２０Ｖとし、Ｃ、Ｌ、ＷをＰチャネル型ＴＦＴと同一にしたとき、液体噴射速度の低下分は初期状態の速度に対して３割程度となり、この主原因はＮチャネル型ＴＦＴのＯＮ抵抗の増大に起因することがわかった。従って、本実施例におけるアナログスイッチに用いる場合には、明らかにＰチャネル型ＴＦＴの方がＮチャネル型ＴＦＴより高信頼性であり、圧電素子駆動信号の電圧振幅、すなわち駆動電圧を大きくすることが可能である。
【実施例６】
【００３８】
図１２は本発明の実施例における、複数の圧電素子を同時に駆動する液体噴射記録ヘッドの駆動回路図であり、例えばカラー対応液体噴射記録ヘッドの駆動回路にも適用可能なものである。同図において、５０１は走査回路であり、ＴＦＴにより構成される。この走査回路はシフトレジスタで構成すればよいが、その出力段にバッファーインバーター等が設けられていても良い。７０１及び７０２は、ＴＦＴ走査回路５０１の出力信号線であり、それぞれＰチャネル型ＴＦＴによるアナログスイッチ７０３乃至７０６及び７０７乃至７１０のゲートに接続される。アナログスイッチ７０３乃至７０６及び７０７乃至７１０の出力端子はそれぞれ圧電素子７１１乃至７１４及び７１５乃至７１８の上電極に接続される。圧電素子７１１及び７１５のもう一方の電極（下電極）は、圧電素子駆動信号入力端子７１９に接続される。同様に圧電素子７１２及び７１６、７１３及び７１７、７１４及び７１８の下電極は、それぞれ圧電素子駆動信号入力端子７２０、７２１、７２２に接続される。また、アナログスイッチ７０３乃至７１０のもう一つの端子は、正電源入力端子７２３に接続される。圧電素子駆動信号入力端子７１９、７２０、７２１、７２２にそれぞれ黒信号、シアン信号、黄信号、マゼンタ信号を入力すれば、カラー対応液体噴射記録ヘッドの駆動回路となる。
【００３９】
以上説明したように、本発明の液体噴射記録ヘッド及びその製造方法、及び液体噴射記録ヘッドの駆動回路及び駆動方法を用いることにより、以下のような効果がある。
【００４０】
（１）ヘッド基板上の上電極と絶縁基板上のＴＦＴを用いた駆動回路の出力端子を向かい合わせに接続し、前記絶縁基板におけるＴＦＴのない面に実装基板を設け、前記ヘッド基板、及び絶縁基板の端面及び実装基板により囲まれた空間を封止し、液体貯蔵室を形成すること、また、前記ヘッド基板上の圧電素子の配列ピッチと駆動回路の出力端子の配列ピッチを同一とすることにより、百ノズル以上のライン液体噴射記録ヘッドにおいても、平面的、立体的にコンパクトな構造で実現することが可能となった。
【００４１】
（２）ヘッド基板上の上電極と絶縁基板上のＴＦＴを用いた駆動回路の出力端子を向かい合わせに接続した後、この接続部に保護層を形成し、その後絶縁基板のＴＦＴのない面に実装基板を設けることにより、前記保護層の形成が容易となり、また、同保護層の塗布むら等の検査及び修復が容易となり、液体噴射記録ヘッドの製造方法が効率的となった。
【００４２】
（３）ＴＦＴを用いた液体噴射記録ヘッドの駆動回路において、アナログスイッチにＰチャネル型ＴＦＴを用い、ＴＦＴのチャネル長をＬ、チャネル幅をＷ、圧電素子の容量をＣとしたとき、Ｃ／（Ｌ・Ｗ）≧３．３×１０-2（Ｆ／ｍ2）の関係を満たすようにすることにより、圧電素子の駆動電圧を上げることが出来た。また、ＴＦＴを用いた液体噴射記録ヘッドの駆動方法において、圧電素子駆動信号における圧電素子の駆動を開始するタイミングを、アナログスイッチが導通を開始するタイミングより遅らせることにより、実質的に圧電素子の上下電極間に印加される駆動電圧波形の立ち上がり時間を短縮することが出来た。
【図面の簡単な説明】
【００４３】
【図１】本発明の実施例における液体噴射記録ヘッドの斜視図。
【図２】本発明の実施例における液体噴射記録ヘッドの断面図。
【図３】本発明の実施例における液体噴射記録ヘッドにおける、ノズル、液室、振動板、液体供給孔及び圧電素子が形成されて成るヘッド基板の斜視図。
【図４】本発明の実施例における液体噴射記録記録ヘッドにおける、駆動回路を構成する絶縁基板上のＴＦＴの断面図。
【図５】本発明の実施例における液体噴射記録ヘッドにおけるヘッド基板において、上電極の接続端子をその配列ピッチが圧電素子の配列ピッチと同一で、かつ前記接続端子のピッチ方向の長さを液室上の上電極のピッチ方向長さより長くしたヘッド基板の斜視図。
【図６】本発明の実施例におけるヘッド基板の両側端にＴＦＴを用いた駆動回路を設けた液体噴射記録ヘッドの斜視図。
【図７】本発明の実施例におけるヘッド基板の両側端にＴＦＴを用いた駆動回路を設けた液体噴射記録ヘッドにおける、ノズル、液室、振動板、液体供給孔及び圧電素子が形成されて成るヘッド基板の平面図。
【図８】本発明の実施例における、ノズル、液室、振動板、圧電素子を２列配列した液体噴射記録ヘッドの液体噴射記録ヘッドの斜視図。
【図９】本発明の実施例における液体噴射記録ヘッドにおける、ノズル、液室、振動板、液体供給孔及び圧電素子が形成されて成るヘッド基板の平面図。
【図１０】本発明の実施例における、液体噴射記録ヘッドの駆動回路図。
【図１１】本発明の実施例における、液体噴射記録ヘッドの駆動信号のタイミング図。
【図１２】本発明の実施例における、複数の圧電素子を同時に駆動する液体噴射記録ヘッドの駆動回路図。
【符号の説明】
【００４４】
１０１…ノズル、１０２…ノズルプレート、１０３…液室、１０４…振動板、１０５…液体供給孔、１０６…液室の隔壁、１０７…ＴＦＴを用いた駆動回路が形成された絶縁基板、１０８…実装基板、１０９…封止用構造体、１１０…液体貯蔵室、１１１…下電極、１１２…圧電膜、１１３…上電極、１１４…保護膜、１１５…接続電極、１１６…電極接続部保護層、１１７…ヘッド基板の接続端子、１１８…ソース・ドレイン部、１１９…チャネル部、１２０…ゲート絶縁膜、１２１…ゲート電極、１２２…層間絶縁膜、１２３…金属配線層、１２４…保護層、１２５…駆動回路の出力端子。
【図１】
2006272974.tif 000003
【図２】
2006272974.tif 000004
【図３】
2006272974.tif 000005
【図４】
2006272974.tif 000006
【図５】
2006272974.tif 000007
【図６】
2006272974.tif 000008
【図７】
2006272974.tif 000009
【図８】
2006272974.tif 000010
【図９】
2006272974.tif 000011
【図１０】
2006272974.tif 000012
【図１１】
2006272974.tif 000013
【図１２】
2006272974.tif 000014